(57)【特許請求の範囲】
【請求項１】
下部水槽及び該下部水槽から下方に凹陥する集水槽を有する冷却塔に設置される堰装置であって、
該集水槽の上縁を囲むように該下部水槽上に配置される堰装置において、
複数の堰パーツを連結解除可能に連結することにより構成されており、
前記集水槽を囲む大きさが変更可能となっていることを特徴とする堰装置。
【請求項２】
請求項１において、４本の前記堰パーツを方形の囲枠状に組み合わせて構成された堰装置であって、
隣接する一方の堰パーツの一端側が他方の堰パーツの他端側又は長手方向途中に連結解除可能に、かつ連結位置変更可能に連結されていることを特徴とする堰装置。
【請求項３】
請求項２において、前記堰パーツは、前記下部水槽上に配置される底座部と、該底座部から立ち上がる起立片と、該起立片の長手方向一端側に垂直に交わる横片とを有したレールを備えており、
隣接する一方の堰パーツの該横片が他方の堰パーツのレールに当接され、ボルト及びナットによって連結解除可能に連結されており、
該他方の堰パーツには、該堰パーツの長手方向に延在した、ボルト挿通用のスリットが設けられていることを特徴とする堰装置。
【請求項４】
請求項３において、前記起立片に窓開口が設けられており、
前記堰パーツは、この窓開口を覆うメッシュを備えていることを特徴とする堰装置。
【請求項５】
請求項４において、前記メッシュは、前記レールに着脱可能なメッシュ板に設けられていることを特徴とする堰装置。
【請求項６】
請求項１ないし５のいずれか１項において、前記集水槽内に落し込まれる下方突出部を備えたことを特徴とする堰装置。
【請求項７】
下部水槽及び該下部水槽から下方に凹陥する集水槽を有する冷却塔において、該集水槽の上縁を囲むように請求項１ないし６のいずれか１項に記載の堰装置が設置されていることを特徴とする冷却塔。
【発明の詳細な説明】
【技術分野】
【０００１】
本発明は、開放循環冷却水系の冷却塔の下部水槽に設置される堰装置に係り、特に該下部水槽の集水槽の上縁部に設置される堰装置に関する。また、本発明は、この堰装置を備えた冷却塔に関する。
【背景技術】
【０００２】
工場や空調設備などで循環使用される水の冷却を目的として屋外に冷却塔が設置されている。この冷却塔内部では、水を充填材に注ぎかけ、冷却塔の外部から取り込んだ空気と水とを直接接触させて、これらの温度差を利用した熱伝達、いわゆる顕熱による冷却と、水自体の蒸発、いわゆる潜熱による冷却とを利用して水の温度を所定範囲まで低下させている。水温が低下した冷水は、冷却塔下部の下部水槽に落下し、この下部水槽に設けられた集水槽から循環配管を介して熱交換器へ送水される。
【０００３】
このような冷却塔では、外部から大気を取り込むことにより外部から固形物等の異物が入り込む。また、前述の通り、冷却塔では冷却水の蒸発が生じることから、冷却水が濃縮され、水中の溶存物質が析出しやすくなる。冷却塔内の充填材等でスケールとして析出したのち、充填材から剥がれ落ちると、冷却塔の下部水槽にスケールが固形物として堆積する。
【０００４】
外部から入り込んだ固形物や冷却水中から析出したスケールが下部水槽の集水槽から循環水管路へと流出すると、水循環系各部に悪影響や不具合を及ぼすおそれがある。特許文献１には、集水槽の上縁を囲むように堰を設けて、下部水槽の底部に堆積した異物が集水槽へ流入するのを防止することが記載されている。
【先行技術文献】
【特許文献】
【０００５】
【特許文献１】特開２００９−１６８４０１号公報
【発明の概要】
【発明が解決しようとする課題】
【０００６】
冷却塔は、製造するメーカーや冷却能力によって集水槽の流入口の形や大きさが異なるため、対象となる冷却塔の集水槽のサイズに応じて堰を作成する必要があった。冷却塔の集水槽の周りや内部には、給水配管やボールタップを利用した給水装置、ブロー配管や、冷却塔の内部をメンテナンスする時にメンテナンス者が歩行するための板が設置されている。そのため、集水槽の周りにはフリースペースが少なく、集水槽の流入口の大きさの堰を設置するのには、かなりの労力を要し、場合によっては設置が不可能な冷却塔があった。
【０００７】
本発明は、集水槽の周りのフリースペースが少ない場所であっても、容易に設置することができる堰装置と、この堰装置を備えた冷却塔を提供することを目的としたものである。
【０００８】
また、本発明は、その一態様において、冷却塔の集水槽のサイズが異なっても設置が可能である堰装置と、この堰装置を備えた冷却塔を提供することを目的とする。
【課題を解決するための手段】
【０００９】
本発明の堰装置は、下部水槽及び該下部水槽から下方に凹陥する集水槽を有する冷却塔に設置される堰装置であって、該集水槽の上縁を囲むように該下部水槽上に配置される堰装置において、複数の堰パーツを連結解除可能に連結することにより構成されていることを特徴とするものである。
【００１０】
本発明の堰装置は、集水槽を囲む大きさが変更可能となっていることが好ましい。
【００１１】
本発明の堰装置は、４本の前記堰パーツを方形囲枠状に組み合わせて構成されており、隣接する一方の堰パーツの一端側が他方の堰パーツの他端側又は長手方向途中に連結解除可能に、かつ連結位置変更可能に連結されていることが好ましい。
【００１２】
この堰パーツは、下部水槽上に配置される底座部と、該底座部から立ち上がる起立片と、該起立片の長手方向一端側に垂直に交わる横片とを有したレールを備えており、隣接する一方の堰パーツの該横片が他方の堰パーツのレールに当接され、ボルト及びナットによって連結解除可能に連結されており、該他方の堰パーツには、該堰パーツの長手方向に延在した、ボルト挿通用のスリットが設けられていることが好ましい。
【００１３】
この起立片に窓開口が設けられており、この窓開口を覆うようにメッシュが設けられていることが好ましい。
【００１４】
このメッシュは、レールに着脱可能なメッシュ板に設けられていることが好ましい。
【００１５】
本発明の堰装置は、集水槽内に落し込まれる下方突出部を備えることが好ましい。
【００１６】
本発明の冷却塔は、下部水槽及び該下部水槽から下方に凹陥する集水槽を有する冷却塔において、該集水槽の上縁を囲むように本発明の堰装置が設置されていることを特徴とするものである。
【発明の効果】
【００１７】
本発明の堰装置は、複数の堰パーツを連結解除可能に連結してなるものであり、冷却塔内で組み立てて設置することができる。
【００１８】
本発明の一態様では、集水槽の大きさに合わせて堰装置の大きさを変更できるので、冷却塔のメーカーや型番が異なっても堰装置を設置することができる。
【００１９】
本発明の一態様の堰装置は、方形囲枠状であり、隣接する堰パーツの連結位置を変更することにより、囲枠の大きさを自在に調節することができる。
【００２０】
この場合、堰パーツに、その長手方向に延在する、ボルト挿通用スリットを設けておくことにより、隣接する一方の堰パーツの他方の堰パーツへの連結位置を自在に、かつ容易に変更することができる。
【００２１】
本発明の一態様では、堰パーツが、底座部、起立片及び横片を有するレールを備えている。この堰パーツは、冷却塔の底面上に安定して置くことができ、堰パーツ同士を連結する作業を容易に行うことができる。また、この横片を隣接堰パーツの起立片に当接させて連結することにより、隣接堰パーツ同士の連結強度及び剛性が高いものとなる。
【００２２】
本発明の一態様では、堰パーツにメッシュが設けられており、冷却塔内の水位が低下したときには、このメッシュを通って水が集水槽に流入可能である。
【００２３】
メッシュを堰パーツに対し着脱可能とすることにより、メッシュの清掃、点検、交換等を容易に行うことができる。
【００２４】
この堰装置に下方突出部を設け、この下方突出部を集水槽に落し込むことにより、堰装置の位置ずれが防止される。
【図面の簡単な説明】
【００２５】
【図１】（ａ）図は実施の形態に係る堰装置の平面図、（ｂ）図はこの堰装置の側面図である。
【図２】図１の堰装置の口径サイズを小さくした状態の平面図である。
【図３】図１の堰装置の斜視図である。
【図４】図１の堰装置の分解斜視図である。
【図５】（ａ）図は図４のＶ−Ｖ線断面図、（ｂ）図はレールにメッシュ板を組み付けた状態の断面図、（ｃ）図はメッシュ板の端部の斜視図である。
【図６】図３のVI−VI線断面図である。
【図７】図１（ｂ）のVII−VII線断面図である。
【図８】別の実施の形態に係る堰パーツの分解斜視図である。
【図９】堰装置を備えた冷却塔の模式的な縦断面図である。
【発明を実施するための形態】
【００２６】
以下、図面を参照して実施の形態について説明する。
【００２７】
図９は本発明の実施の形態に係る堰装置を備えた冷却塔設備のフローを示したものである。冷却塔１の散水装置２からは冷凍機などの熱交換器１２で昇温した冷却水（循環戻水）が散水され、ファン５の駆動による取入れ外気と気液接触して冷却され、ピットすなわち下部水槽４に溜まる。下部水槽４内の冷却水は集水槽６から循環ポンプ１０、循環往管１１、熱交換器１２、循環戻管１３を通って循環される。
【００２８】
冷却塔１における蒸発量及び飛沫の飛散損失量並びにブローライン７のブロー弁８からのブロー水量に見合う量の新たな水が補給水管路９から補給される。
【００２９】
集水槽６は、下部水槽４の底面から下方に凹陥するように設けられている。この集水槽６の上縁を取り囲むように堰装置２０が設置されている。
【００３０】
図１〜７、特に図３，４に明瞭に示される通り、この堰装置２０は、４本の堰パーツ２１を囲枠状に組み合わせたものである。各堰パーツ２１は、レール３０と、該レール３０に取り付けられたメッシュ板５０及び目隠し板７０とで構成されている。
【００３１】
レール３０は、下部水槽４の底面上に重なる略長方形板状の底座部３１と、該底座部３１の一方の長側辺から垂直に立ち上がる起立片３２と、該起立片３２に設けられた窓開口３３と、起立片３２の長手方向一端側に垂直に交わる横片３４と、起立片３２の上辺から底座部３１と反対側に張り出す張出片３５と、横片３４から起立片３２側に張り出す張出片３６と、起立片３２の横片３４と反対側において起立片３２の下辺に沿って設けられた複数の長孔状のスリット３７と、起立片３２の横片３４側において起立片３２の下辺に沿って設けられたスリット３８と、横片３４の下辺に沿って設けられたスリット３９と、張出片３５の横片３４と反対側において、張出片３５の長手方向に延設された複数のスリット４０と、張出片３６に設けられたスリット４１と、起立片３２の長手方向両端側にそれぞれ設けられた係止ピン４２と、起立片３２の長手方向中間付近において、窓開口３３の下側に設けられたボルト挿通孔４３等を有する。
【００３２】
図７の通り、このボルト挿通孔４３にワッシャ４５を介して、メッシュ板５０及び目隠し板７０押え用のボルト４６が挿通され、ナット４７が締め込まれる。
【００３３】
図４，５の通り、メッシュ板５０は、起立片３２に重なる主板部５１と、該主板部５１に設けられた窓開口５２と、該窓開口５２を覆うように主板部５１に固着されたメッシュ５３と、主板部５１の上縁から張り出す張出片５４と、該主板部５１の長手方向両端側にそれぞれ設けられた係止孔５５とを有する。図５の通り、この係止孔５５は、下側の大径孔５５ａと、該大径孔５５ａから上方に立ち上がる切欠部５５ｂとを有した鍵穴状である。この切欠部５５ｂの左右幅は、大径孔５５ａの左右幅よりも小さい。
【００３４】
メッシュ板５０をレール３０に取り付けた状態においては、メッシュ５３がレール３０の窓開口３３に対面している。メッシュ板５０をレール３０に取り付けるには、図５（ａ）の通り、主板部５１をレール３０の起立片３２に重ねると共に大径孔５５ａに係止ピン４２を通し、次いでメッシュ板５０を張出片５４が張出片３５に当接するまで引き下げる。これにより、図５（ｂ）の通り、係止ピン４２が切欠部５５ｂに係合し、メッシュ板５０がレール３０に取り付けられる。逆に、このメッシュ板５０を上方に引き上げた後、主板部５１を起立片３２から離反させることにより、メッシュ板５０をレール３０から取り外すことができる。
【００３５】
メッシュ板５０を脱着可能とすることにより、混入防止対象である異物の大きさに合った目開きのメッシュ板５０に容易に変更できる。また、容易に清掃ができるようになるというメリットがある。
【００３６】
メッシュ５３の目開きは、混入防止対象の異物の大きさにもよるが、通常、１０〜４０メッシュが好ましい。１０メッシュ以下であると異物の混入を防止するのが不十分となり、４０メッシュ以上であると、比較的短時間で異物がこのメッシュ部材に目詰まりするおそれがあり、清掃を行う頻度が高くなるため、望ましくない。メッシュ５３の材質としては、水中に溶出物が出ないものが良く、ある程度の強度を有していて切れたり変形しないようなものであれば良い。そのような材質として、ステンレス材や樹脂材が挙げられる。
【００３７】
なお、堰パーツ２１の下部に設けたスリット３７を異物が通過して集水槽６内に混入するのを防止するために、スリット３７の外側に該スリット３７を塞ぐように目隠し板７０を設けている。
【００３８】
この実施の形態では、隣接する堰パーツ２１同士が交わるコーナー部にコーナーパーツ６０が設置される。図３，４，６の通り、コーナーパーツ６０は、第１片６１と第２片６２とが垂直に交わるＬ字形を有している。第１片６１に水平方向にスリット６３が設けられ、第２片６２に水平方向にスリット６４が設けられている。この実施の形態では、スリット６３，６４はそれぞれ上下２段に設けられているが、１段又は３段以上であってもよい。
【００３９】
堰装置２０を組み立てるには、４本の堰パーツ２１を囲枠状に組み合わせ、隣接する堰パーツ２１同士を連結する。
【００４０】
隣接する堰パーツ２１同士を連結するには、図３，４，６の通り、堰パーツ２１の起立片３２と横片３４とのコーナー部にコーナーパーツ６０を配置し、第２片６２の上段側のスリット６４からスリット３８にボルト６６を挿通し、ナット締めしてコーナーパーツ６０を各堰パーツ２１に固定する。この実施の形態では、コーナーパーツ６０は、レール３０の下面から下方に突出するように取り付けられる。
【００４１】
次いで、隣接する一方の堰パーツ２１の横片３４を他方の第２の堰パーツ２１の起立片３２の底座部３１と反対側の面に当接させる。この際、該一方の堰パーツ２１の横片３４及びその張出片３６は該他方の堰パーツ２１の張出片３５の下側に配置される。
【００４２】
次いで、コーナーパーツ６０の第１片６１の上段のスリット６３と、横片３４のスリット３９と、該他方の堰パーツ２１のスリット３７と、目隠し板７０の小孔７１にボルト６５を通し、ナット６５ａを締め込む。また、張出片３６のスリット４１から張出片３５のスリット４０にボルト６８を通し、ナット６９を締め込む。これにより、隣接する堰パーツ２１同士が連結される。また、目隠し板７０の一端側も、ボルト６５及びナット６５ａによってレール３０に固定される。
【００４３】
図３，７の通り、起立片３２の下部に沿って目隠し板７０を取り付けることにより、スリット３７が閉鎖される。上記の通り、この目隠し板７０の一端側はボルト６５及びナット６５ａによってレール３０に固定される。目隠し板７０の他端側は、前記ボルト４６、ワッシャ４５及びナット４７によってレール３０の起立片３２に固定される。このワッシャ４５は、メッシュ板５０の下縁と目隠し板７０の上縁とに跨って配置される。これにより、メッシュ板５０の長手方向中間付近が、目隠し板７０の該他端側と共に、起立片３２に押え付けられる。
【００４４】
このように４本の堰パーツ２１を囲枠状に組み合わせて連結することにより構成された堰装置２０を、集水槽６の上縁に沿って配置する。各堰パーツ２１は、集水槽６の上縁部に沿って下部水槽４の上面に重なり、コーナーパーツ６０が集水槽６内のコーナー部に落し込まれる。これにより、堰装置２０の位置ずれが防止される。
【００４５】
下部水槽４内の水は、堰装置２０を乗り越えて集水槽６内に流入する。下部水槽４内の水位が低下してきたときには、下部水槽４内の水はメッシュ５３を透過して集水槽６内に流入する。下部水槽４内に沈積したスケールは、堰装置２０によってせき止められ、集水槽６内には入り込まない。
【００４６】
この堰装置２０は、堰パーツ２１同士の連結部位を異ならせることにより、枠の大きさを自在に変えることができる。図１では、堰装置２０は枠の大きさ（口径サイズ）が最大となっており、図２では、枠の大きさが最小となっている。図１，２では、枠は正方形となっているが、長方形の枠とすることもできる。
【００４７】
この堰装置２０は、相互に分割可能な４本の堰パーツ２１から形成されているので、冷却塔が設置されている現場への搬送が容易である。冷却塔は、屋外の高所に設置されることが多く、梯子を登らなければならない場合もあることから、できるだけコンパクトな状態で搬送できることが安全面及び省力化の点からも望ましい。また、冷却塔の下部水槽４には、給水装置、ブロー配管やメンテナンス用の歩行板などの付属部品が配置されていることから、集水槽６の流入口の周りにはフリースペースが思いのほか少なく、組み立てられた堰を設置するのは容易ではない。堰装置２０が分割可能な堰パーツ２１から形成されていることにより、冷却塔内で容易に組み立てと設置が行える。
【００４８】
また、集水槽６の流入口の大きさ又は形状に応じて囲枠の大きさが変更可能となっている。そのため、各冷却塔のメーカーや冷却能力が異なっても、集水槽の流入口に合わせて囲枠の大きさを変えることができるため、現場に設置できる対応範囲が大きい。集水槽の大きさと形状に対応して堰パーツを何種類も作成する必要がなく、経済的である。また、堰装置を設置できないといったトラブルをなくすことができる。
【００４９】
隣接する堰パーツ２１，２１同士を連結するボルト６５は、横長のスリット６１，３９，３７に挿通されるので、囲枠の大きさを無段階で調整することができ、微調節も可能である。また、冷却塔内での設置の際に連結作業性が良い。
【００５０】
この実施の形態では、コーナーパーツ６０を集水槽６の４コーナー部に落し込むので、堰装置２０の位置ずれが防止される。
【００５１】
本発明の堰装置２０は、冷却塔の下部水槽内に設置されるため、材料としては水中で変形することがなく、また、材料からの溶出物がないような材質を使用するのが望ましく、ステンレス鋼や樹脂材などを利用するのが好ましい。これらの材料の比重が大きければ水中に置くだけでも簡単に下部槽内で移動することはないが、冷却水の循環によって下部水槽内に水流が生じるため、設置した堰が集水槽の流入口からずれて異物が取水口のストレーナーに流れ込むおそれがある。コーナーパーツ６０は、この位置ずれを防止する。
【００５２】
この実施の形態では、堰パーツ２１は、底座部３１と起立片３２とを有した断面Ｌ字形となっている。このため、堰装置２０を下部水槽内に設置した際に水槽底面に安定して配置することができる。また、異物が水の流れとともに堰の周囲に集まってきた際に、異物をこの底座部３１の上へ導き、堰によって異物が集水槽の流入口に混入しないようにすることができる。スケールやスラッジ等の異物は堰の周りに堆積した状態となっているので、清掃時にはこれらを水中用の掃除機で吸引除去することで容易に清掃可能である。
【００５３】
冷却塔１の外部から取り込まれた固形物やスケール等の異物は、下部水槽４内に沈降しているため、堰を設ければ異物が集水槽内に入り込むことはほとんどない。しかし、堰の側面部が水の流通ができない板状のものであると、循環冷却水が循環ポンプによって集水槽内から吸引された際、下部水槽４内に乱流が生じて沈降していた異物が堰を越境し、集水槽内に流入することがあった。堰パーツ２１の側面部にメッシュ５３を採用することにより、このメッシュ５３を通じて下部水槽内の水が集水槽内に流れ込むようになるため、異物が堰を越境することを防止できる。
【００５４】
また、循環ポンプの作動開始直後は、下部水槽４内が低水位になりがちである。堰の高さが高く、堰の側面部が水の流通ができない板状のものである場合、集水槽６内に流入する水が不足して、循環水管路に空気が侵入するおそれがあるが、堰の側面部をメッシュ５３とすることにより、下部水槽４内が低水位となってもメッシュ５３を通して水が集水槽６内へ流れ込むため、循環水管路に空気が侵入するのを防止できる。
前述の目隠し板７０はスリット３７を閉鎖して異物がスリット３７をずりぬけるのを防止する役割を果たすが、下部水槽４から集水槽６へ流れ込む水量が不足する傾向にあり、かつ、スリット３７より下のわずかな高さの起立片３２の部分によって異物をせきとめることが可能な場合は、目隠し板７０を取り外した状態で使用することもできる。
【００５５】
このように、本発明によれば、あらゆるメーカー及び冷却能力の冷却塔に、ストレーナーの目詰まりを軽減するための堰を設置することが可能となり、ストレーナーの目詰まりを防止できるだけでなく、堰によって集水槽への移動を阻まれた異物が堰の下部に集まっているため、冷却塔の下部水槽から、これらの異物を除去するための清掃の労力を著しく低減できる。
【００５６】
冷却塔のストレーナーの目詰まりを軽減する目的で循環水中の浮遊物の除去を行う方式を多く見かけるが、開放循環冷却水系において外部から取り込まれる異物、もしくは冷却塔充填材から脱落したスケール片等は大半が水中に沈み、下部水槽の底を流されてストレーナーに運ばれる事がわかっている。本発明の装置によれば、スケール等の異物が取水口のストレーナーに流れ込まない様にしているため、取水口のストレーナーの目詰まりを防止できるのはもちろんのこと、このストレーナーをすり抜けて循環水管路に設置されたＹ型ストレーナーの目詰まりを防止する効果も得られる。
【００５７】
本発明の装置に使用される堰パーツは、構造がシンプルである。また、長さは異なるものの基本的な構造は同じものを数種類、用意するだけで各メーカの冷却塔に設置可能であり、設備投資費も低く抑えられる。
【００５８】
堰パーツ２１の長さは、冷却塔の規模にもよるが、通常、４００〜１５００ｍｍの間で数種類製作しておけば大抵の角型冷却塔においては設置が可能である。例えば、４００ｍｍ、７００ｍｍ、１０００ｍｍ、１３００ｍｍ、１５００ｍｍの長さの本体部材を４本ずつ製作し、スリットの利用によっておよそ２００ｍｍの長さ変更が可能なようにしておくことで、ほとんどの冷却塔に適用可能である。同じ長さの堰パーツ２１を使用すれば、正方形の堰を容易に形成することができ、異なる長さの堰パーツ２１を使用すれば、長方形の流入口にも容易に対応できる。
【００５９】
堰の高さは冷却塔の下部水槽４内の水位設定にもよるが、通常、５０〜１００ｍｍであることが望ましい。循環ポンプの作動開始直後は、冷却塔への循環水が一時的に不足して下部水槽内が低水位になりがちであり、メッシュ５３を取り付けていても、メッシュ５３の目が小さかったり、メッシュ５３が異物等で目詰まりしている場合に、メッシュ５３を通過する水の量では間に合わず、循環水管路に空気が侵入するおそれがある。１００ｍｍを超えるような高さにすると、前述のような空気の侵入のおそれがある。１００ｍｍ以下の高さであれば、冷却塔の通常運転時は堰が下部水槽内の水中に水没した状態であり、集水槽内に水が流入するのを妨げることがない。また、循環ポンプの作動開始直後であっても、水位が堰の高さ以下になるまでには時間的余裕があるため、循環ポンプの吸引によって循環水管路に空気が侵入するおそれが少ない。堰の高さが５０ｍｍよりも低くなると、乱流によって下部水槽の底に沈んだ異物が堰を越境するおそれがあるため、望ましくない。
【００６０】
Ｌ字形のコーナーパーツ６０を四角形の堰の１対の対角線部分に設けることにより、堰が集水槽６の流入口の周囲から移動しないようにすることができる。コーナーパーツ６０は、組み立てられた堰の角に設置することで堰の強度を上げ、変形を防止する役割も果たすため、堰の移動を防止するためには、最低でも堰の１対の対角線部分に設置すれば足りるが、強度を増すためには４隅に設置するのが望ましい。また、このコーナーパーツ６０には複数段のスリット６３，６４を設けているので、ボルト６６を異なる段のスリットに挿通したり、コーナーパーツ６０を上下逆にすることにより、コーナーパーツ６０が堰の底面より下に突出しないように設置したり、突出長さを１ｃｍ、５ｃｍ等と変更できる。この突出長さは、堰の大きさ又は重さや、現場の状況に合わせて選択すれば良い。
【００６１】
ただし、堰の移動を防止する手段は、この形式に限られず、例えば堰の４辺の下部に平板鋼を堰の底面より下に突出するように設けるなどしても良い。
【００６２】
即ち、この実施の形態では、レール３０と別体のコーナーパーツ６０を用いているが、図８のようにコーナーパーツ部６０Ａを一体に設けたレール３０Ａを用いてもよい。レール３０Ａのその他の構成はレール３０と同一であり、同一符号は同一部分を示している。
【実施例】
【００６３】
［実施例１］
製薬工場に設置された開放循環冷却塔内の下部水槽に本発明の堰装置を設置した。４ヶ月が経過したところ、本装置の周りにスケール分、スラッジの堆積が見られるものの集水槽内及び取水口のストレーナー近辺には、堆積物がほとんど見られなかった。
【００６４】
また、従来はストレーナーを通過した小片スケールが冷却塔上部の散水盤を詰まらせていたが、全く詰まりが見られなくなった。
【００６５】
［実施例２］
従来、大手スーパーの開放循環冷却塔内の取水口に取り付けられた４０メッシュのストレーナーを２週間に一度の頻度で清掃を行う必要があった。本発明の堰装置を集水槽の周りに設置することにより、２週間経過しても４０メッシュのストレーナーの詰まりがほとんど見られず、目詰まりが軽減された。堰装置の周りには、堆積したスケール片、スラッジが多く見られた。
【００６６】
これらのスケール片、スラッジは、水中用の掃除機によって吸引除去することで容易に清掃することができた。
【００６７】
以上から、本発明の堰装置を設置することにより、ストレーナーの目詰まりが軽減されることを確認できた。
【符号の説明】
【００６８】
１  冷却塔
４  下部水槽（ピット）
６  集水槽
２０  堰装置
２１  堰パーツ
３０  レール
３１  底座部
３２  起立片
３３  窓開口
３４  横板
５０  メッシュ板
５３  メッシュ
６０  コーナーパーツ
７０  目隠し板
【図１】
0006375787.tif 000002
【図２】
0006375787.tif 000003
【図３】
0006375787.tif 000004
【図４】
0006375787.tif 000005
【図５】
0006375787.tif 000006
【図６】
0006375787.tif 000007
【図７】
0006375787.tif 000008
【図８】
0006375787.tif 000009
【図９】
0006375787.tif 000010